【事件の表示】
　特許第３００６５７４号「プリント装置」の請求項１ないし６に係る特許に対する特許異議の申立てについて、次のとおり決定する。
【結　論】
　訂正を認める。
　特許第３００６５７４号の請求項１ないし６に係る特許を取り消す。
【理　由】
１．手続の経緯
　特許第３００６５７４号の請求項１ないし６に係る発明についての出願は、昭和６３年６月２９日に特許出願した特願昭６３−１６１８０１号の一部を、平成１０年１月１２日に分割して新たな特許出願とした特願平１０−４３１０号の一部を、平成１０年２月２日に再度分割して新たな特許出願とした特願平１０−２０８７３号の一部を、平成１０年２月２６日に再々度分割して新たな特許出願として特願平１０−４５１０８号の一部を、さらに平成１０年３月２７日に新たな特許出願として分割出願したものであって、平成１１年１１月２６日にその発明について特許の設定がされ、その後、その特許について、異議申立人富岡　康之　、異議申立人　キャノン株式会社　により特許異議の申立てがなされ、取消理由通知がなされ、その指定期間内である平成１２年１２月２５日に訂正請求がなされたものである。
　　
　　
　　
２．訂正の適否についての判断
（１）訂正の内容　
　特許権者が求めている訂正の内容は以下のとおりである。
　（なお、特許請求の範囲においては下線部が訂正個所である。）
　　
　ア．【特許請求の範囲】の【請求項１】ないし【請求項６】に係る発明において、
“【請求項１】　印刷対象の画像データを供給する静止画像手段と、
　上記画像データでなる画像が表示される画像表示手段と、
　上記印刷対象の画像データを印刷するための用紙の紙詰まり状態を検出する検出手段と、
　上記検出手段の検出結果に応じて、上記紙詰まり状態の表示をするための表示データを出力する出力手段とを具備し、
　上記出力手段から出力される上記表示データに基づいて上記画像表示手段に上記紙詰まり状態が表示されることを特徴とするプリント装置。
【請求項２】　上記画像表示手段に紙詰まりを意味する表示がなされることを特徴とする請求項１に記載のプリント装置。
【請求項３】　印刷対象の画像データを供給する静止画像手段と、
　上記画像データでなる画像が表示される画像表示手段と、
　上記印刷対象の画像データを印刷するための用紙がないことを検出する検出手段と、
　上記検出手段の検出結果に応じて、上記用紙がない状態の表示をするための表示データを出力する出力手段とを具備し、
　上記出力手段から出力される上記表示データに基づいて上記画像表示手段に上記用紙がない状態が表示されることを特徴とするプリント装置。
【請求項４】　上記画像表示手段に用紙がないことを意味する表示がなされることを特徴とする請求項３に記載のプリント装置。
【請求項５】印刷対象の画像データを供給する静止画像手段と、
　上記画像データでなる画像が表示される画像表示手段と、　
　上記印刷対象の画像データの印刷指示された印刷枚数を検出する検出手段と、
　上記検出手段の検出結果に応じて、上記印刷枚数の表示をするための表示データを出力する出力手段とを具備し、
　上記出力手段から出力される上記表示データに基づいて上記画像表示手段に上記印刷枚数が表示されることを特徴とするプリント装置
【請求項６】　上記画像表示手段に印刷指示された枚数を意味する表示がなされることを特徴とする請求項５に記載のプリント装置。”
を、
「【請求項１】　印刷対象の画像データを供給する
スチルカメラ
　
該スチルカメラから供給される印刷対象の画像データからなる
　上記印刷対象の画像データを印刷するための用紙の紙詰まり状態を検出する検出手段と、
　上記検出手段の検出結果に応じて、上記紙詰まり状態の表示をするための表示データを出力する出力手段とを具備し、
　上記出力手段から出力される上記表示データに基づいて上記画像表示手段に上記紙詰まり状態が表示されることを特徴とするプリント装置。
【請求項２】　上記画像表示手段に紙詰まりを意味する表示がなされることを特徴とする請求項１に記載のプリント装置。
【請求項３】　印刷対象の画像データを供給する
スチルカメラ
　
該スチルカメラから供給される印刷対象の画像データからなる
　上記印刷対象の画像データを印刷するための用紙がないことを検出する検出手段と、
　上記検出手段の検出結果に応じて、上記用紙がない状態の表示をするための表示データを出力する出力手段とを具備し、
　上記出力手段から出力される上記表示データに基づいて上記画像表示手段に上記用紙がない状態が表示されることを特徴とするプリント装置。
【請求項４】　上記画像表示手段に用紙がないことを意味する表示がなされることを特徴とする請求項３に記載のプリント装置。
【請求項５】　印刷対象の画像データを供給する
スチルカメラ
　
該スチルカメラから供給される印刷対象の画像データからなる
　上記印刷対象の画像データの印刷指示された印刷枚数を検出する検出手段と、
　上記検出手段の検出結果に応じて、上記印刷枚数の表示をするための表示データを出力する出力手段とを具備し、
　上記出力手段から出力される上記表示データに基づいて上記画像表示手段に上記印刷枚数が表示されることを特徴とするプリント装置
【請求項６】　上記画像表示手段に印刷指示された枚数を意味する表示がなされることを特徴とする請求項５に記載のプリント装置。」と、
　
　イ．段落【０００５】の【課題を解決するための手段】において、
“【課題を解決するための手段】
　第１の本発明は印刷対象の画像データを供給する静止画撮像手段と、画像データでなる画像が表示される画像表示手段と、印刷対象の画像データを印刷するための用紙の紙詰まり状態を検出する検出手段と、検出手段の検出結果に応じて、紙詰まり状態の表示をするための表示データを出力する出力手段とを具備し、出力手段から出力される表示データに基づいて画像表示手段に紙詰まり状態が表示されることを特徴とするプリント装置としたものである。第２の本発明は印刷対象の画像データを供給する静止画撮像手段と、画像データでなる画像が表示される画像表示手段と、印刷対象の画像データを印刷するための用紙がないことを検出する検出手段と、検出手段の検出結果に応じて、用紙がない状態の表示をするための表示データを出力する出力手段とを具備し、出力手段から出力される表示データに基づいて画像表示手段に用紙がない状態が表示されることを特徴とするプリント装置としたものである。第３の本発明は印刷対象の画像データを供給する静止画撮像手段と、画像データでなる画像が表示される画像表示手段と、印刷対象の画像データの印刷指示された印刷枚数を検出する検出手段と、検出手段の検出結果に応じて、印刷枚数の表示をするための表示データを出力する出力手段とを具備し、出力手段から出力される表示データに基づいて画像表示手段に印刷枚数が表示されることを特徴とするプリント装置としたものである。”
を
「【課題を解決するための手段】
　第１の本発明は印刷対象の画像データを供給するスチルカメラと、スチルカメラから供給される印刷対象の画像データからなる画像が表示される画像表示手段と、印刷対象の画像データを印刷するための用意の紙詰まり状態を検出する検出手段と、検出手段の検出結果に応じて、紙詰まり状態の表示をするための表示データを出力する出力手段とを具備し、出力手段から出力される表示データに基づいて画像表示手段に紙詰まり状態が表示されることを特徴とするプリント装置としたものである。
　第２の本発明は画像表示手段に紙詰まりを意味する表示がなされることを特徴とする請求項１に記載のプリント装置としたものである。
　第３の本発明は印刷対象の画像データを供給するスチルカメラと、スチルカメラから供給される印刷対象の画像データからなる画像が表示される画像表示手段と、印刷対象の画像データを印刷するための用しがないことを検出する検出手段と、検出手段の検出結果に応じて、用紙がない状態の表示をするための表示デーを出力する出力手段とを具備し、出力手段から出力される表示データに基づいて画像表示手段に用紙がない状態が表示されることを特徴とするプリント装置としたものである。
　第４の本発明は画像表示手段に用紙がないことを意味する表示がなされることを特徴とするプリント装置としたものである。
　第５の本発明は印刷対象の画像データを供給するスチルカメラと、スチルカメラから供給される印刷対象の画像データからなる画像が表示される画像表示手段と、印刷対象の画像データの印刷指示された印刷枚数を検出する検出手段と、検出手段の検出結果に応じて、印刷枚数の表示をするための表示データを出力する出力手段とを具備し、出力手段から出力される表示データに基づいて画像表示手段に印刷枚数が表示されることを特徴とするプリント装置としたものである。
　第６の本発明は画像表示手段に印刷指示された枚数を意味する表示がなされることを特徴とするプリント装置としたものである。」と、
　ウ．段落【０００７】の【発明の実施の形態】を、
“【発明の実施の形態】
　以下、本発明のスチールカメラ等の撮像手段からの映像手段からの映像信号をプリントアウトさせるプリント装置を図面によって詳記する。”
を
「【発明の実施の形態】
　以下、本発明のビデオプリンタを有するスチルカメラを図面によって詳記する。」と、
　
　エ．段落【０００１】【０００４】【０００６】【００１０】の
“スチールカメラ”を「スチルカメラ」と、
　
各々訂正するものである。
　
　
（２）訂正の目的の適否、新規事項の有無、及び特許請求の範囲の拡張・変更の存否
　上記ア、の【請求項１】、【請求項３】、【請求項５】に係る発明は、発明を特定する事項である“静止画撮像手段”を、これに含まれるより下位概念である「スチルカメラ」に、また“上記画像データからなる”を、これに含まれるより下位概念である「該スチルカメラから供給される印刷対象の画像データからなる」に、特許公報の【０００１】【０００４】【０００７】【００４７】等の記載に基づいて特定するものであり、上記訂正は特許請求の範囲の減縮を目的とした訂正に該当する。
　
　上記イ．ウ．は、請求項１ないし請求項６の訂正に伴い、これらと整合させようとする訂正であり、明瞭でない部分の釈明を目的とした訂正に相当する。
　
　上記エ．は誤記の訂正である。
　
　そして、上記の各訂正事項は、いずれも、新規事項の追加に該当せず、実質的に特許請求の範囲を拡張し又は変更するものでない。
　
　
（３）むすび
　以上のとおりであるから、上記訂正は特許法第１２０条の４第３項において準用する平成６年法律第１１６号による改正前の特許法第１２６条第１項ただし書き、第２項及び第３項の規定に適合するので、当該訂正を認める。
　
　
　
３．特許異議の申立てについての判断
（１）申立ての理由の概要
　特許異議申立人　富岡　康之　は、本件特許の請求項１ないし６に係る発明（訂正前のその特許請求の範囲の各請求項に記載された発明、以下「訂正前本件発明Ｘ」という。）は、
証拠として、　　　
　　　甲第Ｔ−１号証：特開昭６３−　５７２３号公報
　　　甲第Ｔ−２号証：実願昭５９−５６８０２号のマイクロフィルム
　　　甲第Ｔ−３号証：特開昭５８−５９８８４号公報
を提示して、訂正前本件発明１ないし４は、甲第Ｔ−１号証、甲第Ｔ−２号証、甲第Ｔ−３号証の発明を組合わせることにより当業者が容易に発明できるものであるから、特許法第２９条第２項の規定により特許を受けることができないものであり、特許法第１１３条第１項第２号の規定に該当するので取り消されるべきものである。
また、訂正前本件発明５、６に係る発明は、甲第Ｔ−１号証の発明から当業者が容易に発明できるものであるから、特許法第２９条第２項の規定により特許を受けることができないものであり、特許法第１１３条第１項第２号に該当するので取り消されるべきものである旨主張している。
　　
　　
　特許異議申立人　キャノン株式会社　は、本件特許の請求項１ないし６係る発明は、証拠として、
　　　甲第Ｋ−１号証：ＮＥＣ文豪ｍｉｎｉ７Ｈの取扱説明書
　　　甲第Ｋ−２号証：パーソナルステーションＮＡＶＩの使用説明書
　　　甲第Ｋ−３号証：特開昭６１−１６８０３６号公報
を提示して、訂正前本件特許１ないし６は、甲第Ｋ−１号証または甲第Ｋ−２号証に記載された発明、若しくは、それらの発明に基づいて、その発明の属する技術の分野における通常の知識を有するものが容易に発明をすることができたものであるから、特許法第２９条第２項の規定により特許を受けることができないものであり、同法第１１３条第１項第２号によって取り消されるべきものである。
また、訂正前本件特許１ないし４に係る発明は、甲第Ｋ−３号証に記載された発明、若しくは甲第Ｋ−１号証及び甲第Ｋ−２号証に記載された発明とに基づいて、その発明の属する技術の分野における通常の知識を有する者が容易に発明をすることができたものであるため特許法第２９条第２項の規定により特許を受けることができないものであり、同法第１１３条第１項第２号に該当するので取り消されるべきものである旨主張している。
　
　
（２）本件発明
　特許第３００６５７４号の本件請求項１ないし６に係る発明（以下、「本件発明１ないし６」という。）は、上記２．で示したように訂正が認められるから、平成１２年１２月２５日付けの訂正明細書の特許請求の範囲の請求項１ないし６に記載された事項に特定されるとおりのものである。
　
　
（３）引用刊行物に記載された発明
　当審が平成１２年１０月１７日付けで通知した　理由１　において引用した刊行物１、２、３には、要約すると、以下のような発明が記載されている。
　　　刊行物１：ＮＥＣ文豪ｍｉｎｉ７Ｈの取扱説明書　
　　　　　　　（異議申立人提示の　甲第Ｋ−１号証　）
・プリンタとディスプレイとを備えたワードプロセッサで、ディスプレイの　画面には作成、編集された文章と共に画像が表示される
・ワードプロセッサの本体にはハンディスキャナを接続することができ、そ　してハンディスキャナは原稿、図面等の静止画を撮像するためのものであ　る
・ディスプレイには紙詰まり、印刷部数等種々のメッセージ等が表示される
　
　　　刊行物２：パーソナルステーションＮＡＶＩの使用説明書
　　　　　　　（異議申立人提示の　甲第Ｋ−２号証　）
・《Ｎａｖｉ》は、電話、ファックス、ワープロをコンパクトにまとめた新　しいタイプのＯＡ機器である
・ＣＲＴ、プリンタ、画像読み取り部を有する
・原稿画像を読取ってＣＲＴに表示する
・プリンタ及びＣＲＴは、画像を印刷対象及び表示対象とする
・ＣＲＴには、紙詰まり、用紙切れのメッセージ表示がされる
　
　　　刊行物３：特開昭６１−１６８０３６号公報
　　　　　　　（異議申立人提示の　甲第Ｋ−３号証　）
・記録装置に接続され、ホスト機からデータを受けて記録する記録装置
・ＣＲＴを設け、これらの情報を文字や図形にて可視表示ように構成しても　よい
・ホスト機の内部状態を示す情報は、ホスト機で形成され、印字制御部によ　って伝送路を通じて印字駆動部に送られる。印字駆動部は、印字装置の状　態を示す情報とともにこれを表示部におくり、これらを表示させる
・前記状態表示は用紙の有無、紙つまり検出、トナー補充の必要性などを含　むものである
　
　
（４）対比・判断
　イ．出願人は意見書の中で、
「刊行物１は取扱説明書であって参考文献１との整合性もない不特定多数の人が見ることのできないもので公知文献と云えるものではない。」また、
「刊行物２も取扱説明書であり、更に参考文献２ではＮＡＶＩが１９３３年の１月に発売されるとの記載があるだけでＮＡＶＩと取扱説明書との関連は全く不明であり、この種の取扱説明書は公知文献に属するものでない。」旨の主張をしているが、
　刊行物１は、その“奥付”に、昭和６２年１１月初版（第２版）と、
　刊行物２は、その“はじめ”又はその“奥付”に、
　セットアップガイドでは　１９８８年３月　第３版　第１版発行、
　基本操作ガイドでは　１９８８年４月　第２版　第３版発行、
　活用マニュアルでは　第３版　１９８８年３月、　
と発行日の各記載があり、当該製品を購入することで上記取扱説明書、もしくは使用説明書が添付されてくるものである。そして、上記日付に多少の前後はあるにしても遅れることなく製品が発売されていたものと推断でき、本件特許出願日前においては公知文献であったとして取扱って問題はない。また、
参考資料１のＮＥＣ技報（第４１巻第３号、昭和６３年４月発行　Ｐ．目次、１３１〜１３８）、
参考文献２の日経コミュニケーション第３９号、昭和６２年１２月１４日発行　Ｐ．目次、５０〜５１）、
参考文献３のＰ日経パソコン（第７５号、昭和５８年１１月２４日発行　Ｐ．目次、８８〜９３）、
等の各文献は、刊行物１、２の技術内容を説明するためのものであって、本件特許出願日前に公知の文献である。
　
　ロ．本件発明１ないし６に関して、
　ａ）上記刊行物１に記載の発明と比較する。
・刊行物１には、プリンタとディスプレイを備えたＮＥＣ文豪ｍｉｎｉ７Ｈの全体構成の記載があり（第５頁）、プリンタの取り扱い方（第９頁）、及びディスプレイの取り扱い方の記載がある（第１４頁）。
・ディスプレイの画面には、画像が表示される記載あり（第２０３頁）、その画像データとしては“ハンディイメージスキャナで読み込んだ画像や、「画像データサンプル集」の画像、「作成システム」で作成したデータフロッピーに登録した画像、さらには画像として登録してあるグラフを差し込むことができます。”（第２２１頁）の記載がある。
・ディスプレイに表示される種々のメッセージについて、
“印刷処理が継続できなくなりました。
　　・印刷中に何らかの原因で印刷できなくなりました。
　　→紙づまりを起こしていないかをチェックして、もう一度印刷処理を実　　　行してください”（第４４８頁）、
“用紙をセットしていないと『用紙をセットしてください』と表示される”
（第２４５頁）、
“印刷項目の設定で、印刷項目について印刷部数として１から９９まで設定できます”（第２５０頁）
等の記載がある。
　
　ｂ）上記刊行物１の
・“ハンディイメージスキャナで読み込んだ画像、データフロッピー等で記録した画像の印刷”は本件発明に共通の「画像データを供給する手段」に、
・同じく“ディスプレイの画像には画像が表示される”ことは「印刷対象の画像データからなる画像が表示される画像表示手段」に、
・“ディスプレイに表示される種々のメッセージ”は、その内容が、印刷できなくなりました、用紙切れ、部数等の内容であり、これらは検出手段に基づいて出力されるのであるから、本件発明に共通の「検出結果に応じて、その状態を表示するための表示データを出力する出力手段を具備し」に相当する
・そして、前記したメッセージの内容で、
“印刷処理が継続できなくなりました”は、本件発明１の「印刷対象の画像データを印刷するための用紙の紙詰まり状態を検出する検出手段と、検出手段の検出結果に応じて、紙詰まりの状態の表示をするための表示データを出力する出力手段とを具備し、出力手段から出力される表示データに基づいて画像表示手段に紙詰まり状態が表示される」に、
“用紙をセットをしてください”は、同じく「検出結果に応じて、用紙がないことを検出する検出手段と、検出手段の検出結果に応じて、用紙がない状態の表示をするための表示データを出力する出力手段とを具備し、出力手段から出力される表示データに基づいて画像表示手段に用紙がない状態が表示される」に、
“印刷部数として１〜９９まで設定できます”は、同じく「検出結果に応じて、印刷枚数の表示をするための表示データを出力する出力手段と、検出手段の検出結果に応じて、印刷枚数の表示をするための表示データを出力する出力手段とを具備し、出力手段から出力される表示データに基づいて画像表示手段に印刷枚数が表示される」に各々相当する。
　
　ｃ）また、上記ｂ）で画像表示手段には検出結果の内容をメッセージとして表示するものである事は自明であるから、それぞれの結果に応じて、
“紙詰まりの意味する表示”、
“用紙がないことを意味する表示”、
“印刷枚数を意味する表示”
がされるものである
　
　ｄ）よって、刊行物１と本件発明１ないし６とは、
「【請求項１】印刷対象の画像データを供給する印刷対象の画像データからなる画像が表示される画像表示手段と、上記印刷対象の画像データを印刷するための用紙の紙詰まり状態を検出する検出手段と、上記検出手段の検出結果に応じて、上記紙詰まり状態の表示をするための表示データを出力する出力手段とを具備し、上記出力手段から出力される上記表示データに基づいて上記画像表示手段に上記紙詰まり状態が表示されることを特徴とするプリント装置。
【請求項２】上記画像表示手段に紙詰まりを意味する表示がなされることを特徴とする請求項１に記載のプリント装置。
【請求項３】印刷対象の画像データを供給する印刷対象の画像データからなる画像が表示される画像表示手段と、上記印刷対象の画像データを印刷するための用紙がないことを検出する検出手段と、上記検出手段の検出結果に応じて、上記用紙がない状態の表示をするための表示データを出力する出力手段とを具備し、上記出力手段から出力される上記表示データに基づいて上記画像表示手段に上記用紙がない状態が表示されることを特徴とするプリント装置。
【請求項４】上記画像表示手段に用紙がないことを意味する表示がなされることを特徴とする請求項３に記載のプリント装置。
【請求項５】印刷対象の画像データを供給する印刷対象の画像データからなる画像が表示される画像表示手段と、上記印刷対象の画像データの印刷指示された印刷枚数を検出する検出手段と、上記検出手段の検出結果に応じて、上記印刷枚数の表示をするための表示データを出力する出力手段とを具備し、上記出力手段から出力される上記表示データに基づいて上記画像表示手段に上記印刷枚数が表示されることを特徴とするプリント装置
【請求項６】上記画像表示手段に印刷指示された枚数を意味する表示がなされることを特徴とする請求項５に記載のプリント装置。」
で一致するものの、
印刷対象の画像データを供給するものが、本件各発明では、「スチルカメラからの印刷対象画像データ」であるのに対し、刊行物１のものには、このような記載がない点でのみ相違する。
　
　ｅ）次に、上記の相違点について、検討する。
　印刷対象のデータをスチルカメラからの画像データとすることは周知事項であり、刊行物１においても、同じ画像データの一つとして、スチルカメラからの画像データ採用しようして上記相違点のようにすることは当業者が容易に想到できるものである。
　
　なお、特許権者は意見書の中で、刊行物１のものは「『画像』を印刷対象とする」ものでないと主張しているが、刊行物１のものは、ハンディイメージスキャナで読み込んだ画像、データフロッピーに登録した画像（第２２１頁）であるとの記載があり、画像データでないとする主張は採用できない。
　また、刊行物１のものは「１画素あたり１ビットに過ぎなく２階調で解像度の悪い表示となる。本件発明は、スチルカメラ専用と限定したことにより解像度の高い画像を出力できる」として、スチルカメラに限定したことことを特に主張しており、より解像度の高い画像を出力できる根拠として、「スチルカメラからの画像データは情報量が多く、印刷のスピードが遅いそれゆえにプリンタの情報認識は有効である」旨をあげているが、少なくとも明細書中には、プリント画の画質は“低「Ｌ」、中「Ｍ」、高「Ｈ」に切り替えることが出来る。「Ｌ」の場合は画質の輪郭がぼけ、「Ｈ」では輪郭は強調される、「Ｍ」では中間の値に保つ様に成されるている。”【００３５】、
インクは“リボンの種類は白黒リボン、カラーリボン、ＯＨＰリボンの３種類か”【００３２】との記載はある。
画質はＬ、Ｍ、Ｈと使い分けているが、Ｈを選択したとしてもそれスチルカメラの画像とどのように関連するものか、スチルカメラの画像であるからどの程度の高画質になるのか限定したことによる技術的な関連は把握がきない。そして、インクは高解像度プリントに重要であろうが、リボンインクを使用していることでスチルカメラの画像データがより高画質になるものでもない。
以上のことから、スチルカメラからの画像データと限定した事による有利な効果は把握できない。
　
　そもそも、本件発明は階調度の高い高画質のプリンタを提供するものにあると理解できるものでなく、プリント装置に当該装置の印刷状態を表示することにあって、スチルカメラの映像は画像データの一例示にすぎないものである。このことは、明細書を参酌しても上記特許権者の主張のようにスチルカメラの画像データに限定することによる特有な効果の記載がない事からも言える。
　そして、例え階調度の高い高画質プリンタを提供するものであるとしても、本件発明の出願前において、ワードプロセッサは高密度精細印字できるようにしたい、スキャナから高画質画像のデータを取り込みたいとする課題、要望があることは当該技術分野において常識であり、階調度のある画像データを読み込んで表示し当該画像データを印刷するプリント装置も周知事項のものであるから（例：特開昭６２−１７５８２２号公報、特開昭６２−１３１８１号公報、特開昭６０−２０８１８２号公報）、刊行物１のものにおいても前記周知の高階調度プリンタ機能のものを採用して本件上記相違点のようにする事は当業者が適宜容易に想到できたものである。
　
　
　（５）むすび
　以上のとおりであるから、訂正後の本件請求項１ないし６に係る発明は、取消理由通知で指摘した刊行物１ないし３に記載された発明及び周知事項等に基づいて、当業者が容易に発明をすることができたものであるから、特許法第２９条第２項の規定に違反してされたものである。
　
　したがって、請求項１ないし６に係る発明は、特許法第１１３条号第２号に該当し、取り消されるべきものである。
　
　よって、結論のとおり決定する。
【異議決定日】
平成１３年２月６日（２００１．２．６）
【訂正の要旨】
訂正の要旨
▲１▼　訂正事項ａ
　特許請求の範囲の請求項１を、特許請求の範囲の減縮を目的として、
「〔請求項１〕　印刷対象の画像データを供給する
スチルカメラ
　
該スチルカメラから供給される印刷対象の画像データからなる
　上記印刷対象の画像データを印刷するための用紙の紙詰まり状態を検出する検出手段と、
　上記検出手段の検出結果に応じて、上記紙詰まり状態の表示をするための表示データを出力する出力手段とを具備し、
　上記出力手段から出力される上記表示データに基づいて上記画像表示手段に上記紙詰まり状態が表示されることを特徴とするプリント装置。」と訂正する。
▲２▼　訂正事項ｂ
　特許請求の範囲の請求項３を、特許請求の範囲の減縮を目的として、
「〔請求項３〕　印刷対象の画像データを供給する
スチルカメラ
　
該スチルカメラから供給される印刷対象の画像データからなる
　上記印刷対象の画像データを印刷するための用紙がないことを検出する検出手段と、
　上記検出手段の検出結果に応じて、上記用紙がない状態の表示をするための表示データを出力する出力手段とを具備し、
　上記出力手段から出力される上記表示データに基づいて上記画像表示手段に上記用紙がない状態が表示されることを特徴とするプリント装置。」と訂正する。
▲３▼　訂正事項ｃ
　特許請求の範囲の請求項５を、特許請求の範囲の減縮を目的として、
「〔請求項５〕　印刷対象の画像データを供給する
スチルカメラ
　
該スチルカメラから供給される印刷対象の画像データからなる
　上記印刷対象の画像データの印刷指示された印刷枚数を検出する検出手段と、
　上記検出手段の検出結果に応じて、上記印刷枚数の表示をするための表示データを出力する出力手段とを具備し、
　上記出力手段から出力される上記表示データに基づいて上記画像表示手段に上記印刷枚数が表示されることを特徴とするプリント装置。」と訂正する。
▲４▼　訂正事項ｄ
　訂正事項ａ及びｂ並びにｃの訂正に伴い、特許請求の範囲の記載の発明と発明の詳細な説明の記載とを整合させるため、不明瞭な記載の釈明を目的として明細書の段落番号〔０００５〕の〔課題を解決するための手段〕第３頁第１行、同頁第１０行、第４頁第１行（特許公報第２頁第４欄第７行）、同頁同４欄、第１５行、同頁同欄第２３行〜２４行）「静止画撮像手段」とあるを「スチルカメラ」と訂正する。
▲５▼　訂正事項ｅ
　訂正事項ａ及びｂ並びにｃの訂正に伴い、特許請求の範囲の記載の発明と発明の詳細な説明の記載とを整合させるため、不明瞭な記載の釈明を目的として明細書の段落番号〔０００５〕の〔課題を解決するための手段〕第３頁第１行乃至第２行、同頁第１０行乃至第１１行、第４頁第１行乃至第２行（特許公報第２頁第４欄第７行〜第８行、同頁同４欄第１６行、同頁同４欄第２４行）、「画像データでなる」とあるを「スチルカメラから供給される印刷対象の画像データからなる」と訂正する。
▲６▼　訂正事項ｆ
　明細書の段落番号〔０００１〕〔発明の属する技術分野〕の第１行（特許公報第２頁第３欄第１９行）、段落番号〔０００４〕第１行乃至第２行（特許公報第２頁第３欄第４９行）、段落番号〔０００６〕第１行（特許公報第２頁第４欄第３１行）、段落番号〔００１０〕第６行（特許公報第３頁第５欄第１２行）の夫々に「スチールカメラ」とあるを「スチルカメラ」と訂正する。
（５４）【発明の名称】
プリント装置
（５７）【特許請求の範囲】
　【請求項１】　印刷対象の画像データを供給する
スチルカメラ
　
該スチルカメラから供給される印刷対象の画像データからなる
　上記印刷対象の画像データを印刷するための用紙の紙詰まり状態を検出する検出手段と、
　上記検出手段の検出結果に応じて、上記紙詰まり状態の表示をするための表示データを出力する出力手段とを具備し、
　上記出力手段から出力される上記表示データに基づいて上記画像表示手段に上記紙詰まり状態が表示されることを特徴とするプリント装置。
　【請求項２】　上記画像表示手段に紙詰まりを意味する表示がなされることを特徴とする請求項１に記載のプリント装置。
　【請求項３】　印刷対象の画像データを供給する
スチルカメラ
　
該スチルカメラから供給される印刷対象の画像データからなる
　上記印刷対象の画像データを印刷するための用紙がないことを検出する検出手段と、
　上記検出手段の検出結果に応じて、上記用紙がない状態の表示をするための表示データを出力する出力手段とを具備し、
　上記出力手段から出力される上記表示データに基づいて上記画像表示手段に上記用紙がない状態が表示されることを特徴とするプリント装置。
　【請求項４】　上記画像表示手段に用紙がないことを意味する表示がなされることを特徴とする請求項３に記載のプリント装置。
　【請求項５】　印刷対象の画像データを供給する
スチルカメラ
　
該スチルカメラから供給される印刷対象の画像データからなる
　上記印刷対象の画像データの印刷指示された印刷枚数を検出する検出手段と、
　上記検出手段の検出結果に応じて、上記印刷枚数の表示をするための表示データを出力する出力手段とを具備し、
　上記出力手段から出力される上記表示データに基づいて上記画像表示手段に上記印刷枚数が表示されることを特徴とするプリント装置。
　【請求項６】　上記画像表示手段に印刷指示された枚数を意味する表示がなされることを特徴とする請求項５に記載のプリント装置。
【発明の詳細な説明】
　【０００１】
　【発明の属する技術分野】
　本発明はスチルカメラ等のビデオ撮像手段からの映像信号や各種データをプリントするプリント装置に係わり、特に紙詰まり状態、ノーペーパ状態等の印刷処理状態を検出し、この状態を表示手段に表示可能なプリント装置に関する。
　【０００２】
　【従来の技術】
　従来から、各種データや映像信号をプリントアウトするプリント装置は種々のものが提案されている。例えばカラービデオプリント装置ではモニタテレビとカラービデオプリント装置は互いに接続されてプリント内容はモニタテレビに映出されると共にプリント装置の各種メッセージはプリント装置に配設したＬＥＤ等を点灯させることで操作者にプリント装置の動作状態等を知らせていた。例えば、プリント装置側でプリント指示釦を押圧すると、モニタテレビはプリント装置内のメモリに格納されているプリント画像信号をモニタ出来る構成と成されて、例えば、プリントアウトするときにはプリント釦を押圧すれば、メモリに格納されていたプリント装置画像信号がプリントアウトされるが、プリント装置中の表示はプリント装置に配設したプリント中のＬＥＤが点灯する様に成されている。
　【０００３】
　【発明が解決しようとする課題】
　従来構成のプリント装置によるとプリント装置の動作状態或は操作状態を操作者側にきめ細かく知らせることが出来ないため、リボン装着不良やプリント紙の装着不良、或は紙詰まり等の印刷処理中にエラーが生じても、リボン印字やプリント紙の排出が行なわれて、無駄なプリントを行う問題があった。
　【０００４】
　本発明は叙上の問題点に鑑み成されたもので発明が解決しようとする課題はスチルカメラ等のビデオ撮影手段からの出力の画像を表示する表示手段に紙詰まり、ノーペーパ状態、印刷枚数等の印刷処理状態のメッセージを表示させることで使用者が操作し易く、各種データをプリントアウト可能なプリント装置を提供しようとするものである。
　【０００５】
　【課題を解決するための手段】
　第１の本発明は印刷対象の画像データを供給する
スチルカメラ
スチルカメラから供給される印刷対象の画像データからなる
　第２の本発明は画像表示手段に紙詰まりを意味する表示がなされることを特徴とする請求項１に記載のプリント装置としたものである。
　第３の本発明は印刷対象の画像データを供給する
スチルカメラ
スチルカメラから供給される印刷対象の画像データからなる
　第４の本発明は画像表示手段に用紙がないことを意味する表示がなされることを特徴とするプリント装置としたものである。
　第５の本発明は印刷対象の画像データを供給する
スチルカメラ
スチルカメラから供給される印刷対象の画像データからなる
　第６の本発明は画像表示手段に印刷指示された枚数を意味する表示がなされることを特徴とするプリント装置としたものである。
　【０００６】
　本発明のスチルカメラ等のビデオ撮影手段からの映像信号がプリントアウトされるプリント装置では印刷処理状態の各種メッセージはプリンタ画像を表示する表示手段に表示されるので、紙詰まり状態、ノーペーパ状態、印刷枚数等の故障状態や印刷度合を使用者に知らせることが出来るので、使用者の使い勝手のよいプリント装置が得られる。
　【０００７】
　【発明の実施の形態】
　以下、本発明のビデオプリンタを有するスチルカメラを図面によって詳記する。
　【０００８】
　本例のプリント装置（以下、カラープリンタと記す）の構成を図１及び図２に示す。
　図１で１はカラービデオプリンタであり、プリント操作はキー装置２で行なわれる。このキー装置２には大きく分けてメモリに関係する操作部２ａとプリントに関する操作部２ｂと、プリント画の画質・色調の調整部２ｃと、入力選択釦２ｄより成るが、これら詳細は動作説明と共に図２で後述する。
　【０００９】
　３はモニタテレビでカラービデオプリンタ１に接続され、再生している画像と、プリントする画像を見ることが出来、且つカラービデオプリンタ１からの各種メッセージを表示させることが出来る様に成されている。又、４はプリントしたい信号源を再生、撮像するビデオ機器でカラービデオプリンタ１に接続されている。
　【００１０】
　カラービデオプリンタ１に接続出来るビデオ機器としてはＮＴＳＣコンポジットビデオ信号を出力するＶＴＲ、ビデオカメラ、ビデオディスクプレーヤ、静止画伝送機器、Ｓ映像信号出力を持ったＶＴＲ、コンポーネント信号（色差信号）の出力を持ったＶＴＲ、静止画像記録用の所謂スチルカメラ、静止画伝送機並びにＲ（赤）、Ｇ（緑）、Ｂ（青）信号出力を持ったパーソナルコンピュータ、静止画伝送機器等がある。
　【００１１】
　５はビデオ機器に接続されたモニタテレビであり、ビデオ機器４の再生画像を常時モニタすることが出来る。
　【００１２】
　上述構成のカラービデオプリンタ１で画像をプリントする場合には、カラービデオプリンタ１のカバー１ａを開いてインクリボンカセットを挿入し、更に給紙トレー１ｂにプリント紙又はオーバーヘッドプロジェクタ（以後ＯＨＰと記す）用のシートを挿入して、モニタテレビ３及びカラービデオプリンタ１の電源スイッチ１ｃを“オン”状態とし、キー装置２の入力選択釦２ｄを押圧し、入力信号を選択すると入力の画像信号がモニタテレビ３に映出される。
　【００１３】
　しばらくすると入力信号の表示が消えるようになっている。
　次にプリントしたい画面がモニタテレビ３に現れたら、図２で示すメモリイン釦２ａ１を押圧すると、メモリに画像が記憶される。次にキー装置２中のプリント釦２ｂ１を押圧すれば、カラービデオプリンタ１からはプリント画がプリントアウトされる。
　【００１４】
　更に、クリヤ釦２ａ２を押圧すればメモリに格納されていたプリント画像情報がクリヤされる。
　尚、２ｂ２はプリントを途中で止めるプリント停止釦、２ｂ３はプリントのメモリ画像と入力中の画像とを切換える入力／メモリ切換釦を示している。
　【００１５】
　図３は本例の系統図であり、例えばカラービデオプリンタ１から成る印字装置はキー装置２とマイクロコンピュータ６及びＲＡＭ１２、ＲＯＭ１３等のメモリ並びにカラービデオプリンタの印字手段であるメカ部１０、ヘッド制御部１１、プリント画像用メモリ９（ＲＡＭ１２と兼用してもよい）を有するＣＲＴコントロール部７等で構成され、ビデオ機器４からの画像信号はマイクロコンピュータ６の入カインターフェース等の入力手段６ａに入力され、マイクロコンピュータ６に供給される。
　【００１６】
　マイクロコンピュータ６の表示出力はＣＲＴコントロール部７を通してモニタテレビ３に供給され、ＣＲＴ上に入力画像信号或はプリント画像用メモリ９に格納された画像信号を映出させる。
　【００１７】
　マイクロコンピュータ６とプリント画像用メモリ９、メカ部１０、ヘッド制御部１１、ＲＡＭ１２、ＲＯＭ１３、キー装置２並びにＣＲＴコントロール部７間は互いにデータバス或はコントロールバスを通じて接続されている。
　【００１８】
　本例では、マイクロコンピュータ６がＣＲＴコントロール部７を介して、各種メッセージ用の信号を出力し、モニタテレビ３の画面上に各種メッセージを表示する。この表示を使用者がみてキー装置２の適当な押釦を押圧すると、その押釦に応じたメッセージを再びＣＲＴコントロール部７に、出力し、ＣＲＴコントロール部７がモニタテレビ３に対応メッセージを表示させると共に押釦の命令をマイクロコンピュータは実行する様に各部に制御信号を出力する。
　【００１９】
　本例のプリンタではフルプリント画像を得る等の各種動作及びその表示をモニタテレビのＣＲＴ上に行なうことが出来るが、これら、動作のうちの代表的な動作表示を図４乃至図９の流れ図と表示例によって説明する。
　【００２０】
　図４はフレーム又はフィールド選択表示の流れ図である。一般にフル画面でプリントする場合に早く動いている映像を記憶させると画像がぶれてしまうことがあるので図２に示すフレーム／フィールド釦２ａ３を押圧すると、フレームモードからフィールドモードに変わって、モニタテレビ３の画面上に映出される画面のずれが止まる様になっている。
　【００２１】
　図３に示すプリント画像用メモリ９は最低１フレーム分の画像を記憶する容量を有し、フレーム／フィールド釦２ａ３の押圧でプリント画像メモリ９を１画面として利用する場合と、２枚に分けて使う場合に使い分ける様になされている。
　【００２２】
　今、図２のキー装置２のフレーム／フィールド釦２ａ３が操作されたときの動作を図４で説明すると、マイクロコンピュータ６は第１ステップＳ１でフレーム／フィールド釦２ａ３が“オン”されたか否かを判断し、ＮＯであれば第１ステップＳ１に戻るがフレーム／フィールド釦２ａ３が押圧されていれば次の第２ステップで現在はフレームモードか否かをマイクロコンピュータ６は判断する。
　【００２３】
　フレームモードでなければマイクロコンピュータ６はＣＲＴコントロール部７を介してモニタテレビ３のＣＲＴ画面の下端に第３ステップＳ３に示す様に第１フィールドモードと第２フィールドモード即ちメモリページを表す記号「１Ａ１Ｂ」の間を離れて表示する。
　【００２４】
　又、第２ステップＳ２がフレームモードであれば第４ステップＳ４に示す様に「１Ａ１Ｂ」は接近した状態で表示され、第３及び第４ステップＳ３，Ｓ４後は第１ステップＳ１に戻る動作が行なわれる。
　【００２５】
　図５Ａはプリント画像メモリ９に記憶されるフレームモード画像１４及び第１及び第２のフィールドモードの模式的画像１５，１６を、図５Ｂはフレームモード１４での「１Ａ１Ｂ」の表示１７を示し、この場合は１Ａと１Ｂ間が接近表示された例を示し、第１及び第２のフィールドモード１５，１６では「１Ａ　１Ｂ」の表示１８，１９は１Ａと１Ｂ間が離れて表示される。
　【００２６】
　尚、図５Ｂで第１のフィールドモード１５を選択するか、第２のフィールドモード１６を選択するかは図２のメモリページ釦２ａ４の押圧によって行なわれる。
　【００２７】
　又、図５Ｂでプリントされているメモリページは四角で囲われ、現在選択されていれば赤で表示し、印字中であれば点滅する様になされる。又Ｑ１はプリント枚数で例えば、必要なプリント枚数が５枚必要な場合は図２に示すプリント量釦２ｂ４のプラス釦を５回押せばモニタテレビ３の表示枚数はＱ１→Ｑ２→Ｑ３→Ｑ４→Ｑ５と変化するマイナス釦を押せば減算される。
　【００２８】
　尚、図５ＢのＭはプリント画像用メモリ９にメモリされている画像を示すものでビデオ機器からの入力画像のときはＩを表示する。
　【００２９】
　図６はインクリボンの残量を表示するための流れ図である。
　【００３０】
　図１でカバー１ａを開いて、インクリボンカセットを挿入し、１枚のプリントをとるとリボン残量表示が行なわれる。即ち、図２の残りリボン釦２ｂ５を押している間、モニタテレビ３にはリボンの種類と残り枚数が表示される。例えばリボンの種類がカラーで残り枚数が９９枚であれば
　「ＣＯＬＯＲ　ＲＩＢＢＯＮ　９９」
の如き表示がＣＲＴ画面の中央に出る。
　【００３１】
　この様なリボン残量を表示するフローを図６で説明する。図６で第１ステップＳＴ１では残りリボン釦２ｂ５が“オン”か否かをマイクロコンピュータ６は判断する。ＮＯであれば第１ステップＳＴ１を繰り返すが“オン”されていれば、第２ステップＳＴ２では現在どんなリボンが掛かっているかをみる。
　【００３２】
　リボンの種類は白黒リボン、カラーリボン、ＯＨＰリボンの３種類か、リボンが掛かっていない場合の４種類であり、マイクロコンピュータ６はこれら４通りを選別出来る様に成されている。リボンがカバー１ａ内に完全に挿入されていれば白黒、カラー、ＯＨＰリボンの夫々の場合に第３ステップＳＴ３で何枚残っているかをメモリから読み出し、白黒リボンの場合は第４ステップＳＴ４に示す様に、
　「Ｂ／Ｗ　ＲＩＢＢＯＮ　９９」
の様な表示を、同様にカラーリボンの場合は第５ステップＳＴ５に示す様に
　「ＣＯＬＯＲ　ＲＩＢＢＯＮ　９９」
の様な表示を、ＯＨＰリボンの場合は第６ステップＳＴ６に示す様に、
　「ＯＨＰ　ＲＩＢＢＯＮ　９９」
の様な表示が夫々モニタテレビ３のＣＲＴ画面になされる。
　【００３３】
　又、カセットがカバー１ａ内に挿入されていない場合は「ＮＯ　ＣＡＳＳＥＴＴＥ」を表示する（第７ステップＳＴ７）。
　これら所定の表示が行なわれた後に残りリボン釦２ｂ５が“オフ”になったか否かをマイクロコンピュータ６は第８ステップＳＴ８で判断し、ＮＯであれば第８ステップＳＴ８を繰り返し判断するが、ＹＥＳであればモニタテレビ３のＣＲＴ画面上の上述の各表示を第９ステップＳＴ９に示す様に消すことで第１ステップＳＴ１に戻される。
　【００３４】
　次に図７及び図８の流れ図について説明する。図２でプリント画の画質、色調を調整する調整部２ｃ内の例えば、グレースケール釦２ｃ１ではプリントされるべき画像とモニタテレビ３のＣＲＴ画面の色合わせを行なうことが出来る。
　【００３５】
　又、シャープネス釦２ｃ２を押圧すればプリント画の画質は低「Ｌ」、中「Ｍ」、高「Ｈ」に順次切り換えることが出来る。「Ｌ」の場合は画像の輪郭がぼけ、「Ｈ」では輪郭は強調され、「Ｍ」では中間の値を保つ様に成されている。
　【００３６】
　図７乃至図９に示す流れ図はサービスマンがプリンタを修理するモードで用いるもので、キー装置２に操作対応釦は設けられていないが、図７に示すプリント枚数を表示させる流れ図では第１ステップＳＴＥ１で上述のシャープネス釦２ｃ２とグレースケール釦２ｃ１とを同時に押圧した時に、プリント枚数を表示するメッセージをモニタテレビ３に表示させる様に予め定められている。
　【００３７】
　図７の第１ステップＳＴＥ１で２つの押釦が同時に“オン”が否かをマイクロコンピュータ６が判断し、ＮＯであれば第１ステップＳＴＥ１に戻るが、ＹＥＳであれば第２ステップＳＴＥ２では不揮発性のメモリに書かれている、プリント枚数を読み込む。
　【００３８】
　第３ステップＳＴＥ３ではＣＲＴコントロール部７を介してモニタテレビ３のＣＲＴ画面に読み込んだ内容を「６５５３６　ＰＲＩＮＴＳ」の様に今まで何枚プリントされたかを表示している。
　【００３９】
　図８はプリンタ内に用いられている各種センサのレベルを表示させ様とするもので、第１ステップＳＴＥＰ１では図７と同様に、所定の予め定めた２つの押釦が同時に押圧されたか否かをマイクロコンピュータ６は判断する。
　【００４０】
　ＮＯであれば第１ステップＳＴＥＰ１に戻し、ＹＥＳであれば第２ステップＳＴＥＰ２で各種のセンサのレベルを読み込む。
　【００４１】
　次に第３ステップＳＴＥＰ３では読み込んだレベルをＣＲＴコントロール部７を介してモニタテレビ３に表示する。表示内容はセンサ名、センサの基本特性がＨかＬか、現在の極性がＨかＬか等であり、例えば、「ＥＤＧＥ〔Ｈ〕Ｌ」の様に表示する。
　この様にすると各種のセンサのレベルを何の測定器もなく、みることが出来る。
　【００４２】
　図９の実施例は各種エラーの表示を行なうもので各種エラー表示としては種々のものがあるが、リボンが無くなったことを知らせる「エンド　オブ　リボン」表示、インクリボンカセットがカバー１ａ内に正しく差し込まれていないことを知らせる「インサートリボン」表示、紙づまりであることを知らせる「フィードエラー」表示、給紙トレーが正しく差し込まれていないことを知らせる「インサートトレー」表示、選択されている入力からは現在信号が入っていないことを知らせる「ノーインプット」表示、プリント紙が途中に残っていることを知らせる「プリーズ　ウェイト」表示、紙づまりを知らせる「プロセスエラー」表示、リボンが切れ或はからまったことを知らせる「リボンエラー」表示、トレー中のプリント紙が表裏逆であることを知らせる「ターンペーパオーバ」表示、プリント紙がないことを知らせる「ノーペーパ」表示等がある。
　【００４３】
　図９はこの様なエラー表示を示すフローであり、第１ステップＳＴＥＰ１ａでは各種エラーセンサでエラーが発生したか否かをマイクロコンピュータ６は判断する。ＮＯであれば第１ステップＳＴＥＰ１ａに戻るがＹＥＳであれば第２ステップＳＴＥＰ２ａでモニタテレビ３にＣＲＴコントロール部７を通じてエラーに応じた例えば、プリント紙がないときには「ＮＯ　ＰＡＰＥＲ」の表示が行なわれ、第３ステップＳＴＥＰ３ａでマイクロコンピュータ６は各種のエラーが解除されたか否かを判断し、ＮＯであれば第３ステップＳＴＥＰ３ａに戻るが、ＹＥＳであれば第１ステップＳＴＥＰ１ａに戻す。
　【００４４】
　この様に故障状態の表示が使用者に直ちに解るので、使用者は、エラー対応を迅速に行なうことが出来る。
　【００４５】
　尚、本発明のカラープリンタでは叙上に説明しない、例えば入力されている画像信号がＮＴＳＣコンポジットか、コンポーネント信号か或はＲＧＢ信号なのか等の表示や、画面の色調整表示等も行なわれている。
　【００４６】
　叙上の実施例の表示方法は、その１例を示したもので各種表示方法でモニタテレビ３のＣＲＴ画面に表示することが出来ることは勿論である。
　又、モニタテレビ３とカラービデオプリンタ１並びにキー装置２を別体に構成した例を説明したが、これらをプリンタ１内に一体化する等、上述の各実施例に限定されることなく、本発明の要旨を逸脱しない範囲で種々に変形することが出来る。
　【００４７】
　【発明の効果】
　本発明のスチルカメラ等のビデオ撮像手段からの映像信号がプリントアウトされるプリント装置によればプリントすべき画像を表示するモニタテレビ上に使用者との間の印刷処理状態の各種メッセージを表示するので極めてスムーズにスチールカメラと操作者間で種々のコミュニケーションを計ることが出来る。特に紙詰まり状態やノーペーパ状態、印刷枚数等が表示されるので使い勝手のよいプリント装置が得られ、然もＬＥＤ等の表示部品を必要としないためにプリント装置の構成を単純、廉価にすることが出来る効果を有する。
【図面の簡単な説明】
　【図１】
　本発明のスチルカメラに用いるプリンタの構成配置図である。
　【図２】
　本発明のスチルカメラに用いるプリンタのキー装置の一形態例を示す配置図である。
　【図３】
　本発明のスチルカメラに用いるプリンタの一形態例を示す系統図である。
　【図４】
　本発明のスチルカメラに用いるプリンタのフレーム又はフィールド選択表示の流れ図である。
　【図５】
　本発明のスチルカメラに用いるプリンタの画面表示例を示すＣＲＴ正面図である。
　【図６】
　本発明のスチルカメラに用いるプリンタのリボン残量を表示する流れ図である
　【図７】
　本発明のスチルカメラに用いるプリンタのプリント枚数を表示する流れ図である。
　【図８】
　本発明のスチルカメラに用いるプリンタのセンサレベルを表示する流れ図である。
　【図９】
　本発明のスチルカメラに用いるプリンタの各種エラーを表示する流れ図である。
【符号の説明】
　１…・カラービデオプリンタ、２…・キー装置、３，５…・テレビモニタ、４…・ビデオ機器（スチルカメラ）、９・…プリント画像用メモリ